(57)【要約】【課題】  容易に出し入れ可能で、且つ、胸ポケットからの飛び出し又は落下を防止可能にした事を特徴とする胸ポケット装着型携帯電話落下防止具。【解決手段】  主に落下防止用蓋とストラップ取付け用穴を付属した安定板と安定板表面上部の左右二箇所又は複数箇所に設けた取付け具とで構成され、且つ、該落下防止具は、胸ポケット部に容易に着脱可能な板厚と横幅と長さ寸法を有し、且つ、安定板の上端部に設けた軸部を中心にポケットの内側水平方向から下方向に向けて所定角度程自在に回動可能な落下防止蓋を設け、且つ、該落下防止用蓋には、回動角度規制用ストッパーと捻りコイルばね等の回動手段を軸部に軸着する事により、常時水平方向を保持し、且つ、該取付け具と安定板によりポケットの上端部を挟んで固着させて安定板を保持し、且つ、携帯電話に係着されたストラップをストラップ取付け用穴部に係着する事でポケット内部の携帯電話の落下を防止する。【選択図】  図３
2006122547.tif 000002
【特許請求の範囲】
【請求項１】
携帯電話を胸ポケットに入れて使用する際に装着する落下防止具であって、該落下防止具は、主に落下防止用蓋（２）とストラップ取付け用穴（１ｄ）を付属した安定板（１）と安定板表面上部の左右二箇所又は複数箇所に設けた取付け具（３）とで構成され、且つ、該落下防止具は、胸ポケット部（Ｐ）に容易に着脱可能な板厚（Ｔ）と横幅（Ｗ）と長さ（Ｌ）寸法を有し、且つ、安定板（１）の上端部に設けた軸（７）部を中心にポケット（Ｐ）の内側水平方向から下方向に向けて所定角度（α）程自在に回動可能な落下防止用蓋（２）を設け、且つ、該落下防止用蓋（２）には、回動角度規制用ストッパー（１ａ）（２ａ）と捻りコイルばね等の回動手段（８）（９）を軸（７）部に枢着する事により、常時水平方向を保持し、且つ、該取付け具（３）と安定板（１）によりポケット（Ｐ）の上端部を挟んで固着させて安定板（１）を保持し、且つ、携帯電話（ＣＴ）に係着されたストラップ（ＣＴ’）をストラップ取付け用穴（１ｄ）部に係着する事でポケット（Ｐ）内部の携帯電話（ＣＴ）の落下を防止する事を特徴とする胸ポケット装着型落下防止具。
【発明の詳細な説明】
【技術分野】
【０００１】
この発明は、携帯電話を胸ポケットに入れて使用する際に装着する落下防止具に関するものである。
【背景技術】
【０００２】
従来、携帯電話は専用のケースに入れて腰部に垂下したり、カバンやハンドバッグに入れて保管していたが、最近では携帯電話の普及が急速に早まり、一人一台の割合で保有する時代が定着しつつある。
【０００３】
従って、携帯電話を使用する頻度も以前に比較して多くなり、その都度カバンやハンドバックから出し入れするのは煩わしく、携帯電話用ストラップの先端にクリップを取り付け、ワイシャツ等の胸ポケットの上部に挟んで固着するタイプのものが考案され市販されている。（特許文献１〜２参照。）
【特許文献１】実願２００４−０００６０９
【特許文献２】実願２００４−００１２１２
【０００４】
しかし、これらは激しく身体を動かして仕事や作業をする人にとっては不向きで、ちょっとした身体の動作や変化によって携帯電話がポケットから飛び出してしまう等の欠点があった。
【発明の開示】
【発明が解決しようとする課題】
【０００５】
そこで、この発明は、携帯電話を胸ポケットに入れて使用する際、容易に出し入れ可能で、且つ、胸ポケットからの飛び出し又は落下を防止可能にした胸ポケット装着型携帯電話落下防止具を開発・提供する事にある。
【課題を解決するための手段】
【０００６】
上記課題を達成する為に、この発明は、主に落下防止用蓋とストラップ取付け用穴を付属した安定板と安定板表面上部の左右二箇所又は複数箇所に設けた取付け具とで構成され、且つ、該落下防止具は、胸ポケット部に容易に着脱可能な板厚と横幅と長さ寸法を有し、且つ、安定板の上端部に設けた軸部を中心にポケットの内側水平方向から下方向に向けて所定角度程自在に回動可能な落下防止蓋を設け、且つ、該落下防止用蓋には、回動角度規制用ストッパーと捻りコイルばね等の回動手段を軸部に枢着する事により、常時水平方向を保持し、且つ、該取付け具と安定板によりポケットの上端部を挟んで固着させて安定板を保持し、且つ、携帯電話に係着されたストラップをストラップ取付け用穴部に係着する事でポケット内部の携帯電話の落下を防止するものである。
【発明の効果】
【０００７】
この発明の効果として、胸ポケット部に容易に着脱可能な板厚と横幅と長さ寸法を有し、且つ、安定板の上端部に設けた軸部を中心にポケットの内側水平方向から下方向に向けて所定角度程自在に回動可能な落下防止蓋を設け、且つ、該落下防止用蓋には、回動角度規制用ストッパーと捻りコイルばね等の回動手段を軸部に枢着する事により、常時水平方向を保持し、且つ、該取付け具と安定板によりポケットの上端部を挟んで固着させて安定板を保持し、且つ、携帯電話に係着されたストラップをストラップ取付け用穴部に係着する事で、携帯電話を胸ポケットに入れて使用する際、容易に出し入れ可能で、且つ、胸ポケットからの飛び出し又は落下を防止する事が出来る。又、携帯電話に係着されたストラップをストラップ取付け用穴部に係着する事で、携帯電話を取り出す際に手が滑って手放しても落下しない様に成っている等極めて有益なる効果を奏するものである。
【発明を実施するための最良の形態】
【０００８】
そこで、この発明の最良の形態は、ワイシャツ等の胸ポケット部に容易に着脱可能な板厚と横幅と長さ寸法を有し、軽量で取り扱い易い部材の落下防止具を設定する事が重要である。
【実施例１】
【０００９】
そこで、この発明の一実施例を図１〜図２に基づいて詳述すると、この発明は携帯電話を胸ポケットに入れて使用する際に装着する落下防止具であって、該落下防止具は、主に落下防止用蓋（２）とストラップ取付け用穴（１ｄ）を付属した安定板（１）と安定板表面上部の左右二箇所又は複数箇所に設けた取付け具（３）とで構成され、且つ、該落下防止具は、胸ポケット部（Ｐ）に容易に着脱可能な板厚（Ｔ）と横幅（Ｗ）と長さ（Ｌ）寸法を有し、且つ、安定板（１）の上端部に設けた軸（７）部を中心にポケット（Ｐ）の内側水平方向から下方向に向けて所定角度（α）程自在に回動可能な落下防止用蓋（２）を設け、且つ、該落下防止用蓋（２）には、回動角度規制用ストッパー（１ａ）（２ａ）と捻りコイルばね等の回動手段（８）（９）を軸（７）部に枢着する事により、常時水平方向を保持し、且つ、該取付け具（３）と安定板（１）によりポケット（Ｐ）の上端部を挟んで固着させて安定板（１）を保持し、且つ、携帯電話（ＣＴ）に係着されたストラップ（ＣＴ’）をストラップ取付け用穴（１ｄ）部に係着する事でポケット（Ｐ）内部の携帯電話（ＣＴ）の落下を防止する事を特徴とする胸ポケット装着型落下防止具から構成される。
【００１０】
次に、この発明の構造について詳細に説明すると、図１又は図２に示す様に安定板（１）の上部には安定板裏面に対して軸（７）部を中心にして自在に回動可能な落下防止蓋（２）を設け、且つ、該安定板（１）と落下防止蓋（２）の中心部に回動角度規制用ストッパー（１ａ）（２ａ）を設けて、９０度開くと止まる仕組みに成っている。
【００１１】
又、安定板（１）上部左右の軸（７）部には捻りコイルバネ（８）（９）を枢着して常時落下防止蓋（２）が安定板（１）に対して直角位置を保持する様に成っている。
【００１２】
そして、安定板左端上部にはストラップ取付用の穴（１ｄ）部を設け、携帯電話用ストラップ（ＣＴ’）が係止出来る様に成っていて、携帯電話（ＣＴ）を取り出す際に、万が一手を滑らしても落下しない様に配慮したものである。
【００１３】
次に、安定板（１）の表面左右二箇所に取付具（３）用のブラケット（１ｂ）を設け、該各ブラケットの軸部には、クリップ固定レバー軸部（４ａ）を一体形成したクリップ固定レバー（４）を軸着し、且つ、安定板（１）と一体形成し、開閉着脱可能なクリップ（５）を設け、且つ、該クリップ（５）の先端部と安定板（１）側には、それぞれ突起部（５ａ）（１ｃ）を複数箇所設けてポケット装着時の滑り防止としている。
【００１４】
又、上記クリップ固定レバー（４）とクリップ（５）の間には板バネ（６）を挟着して、胸ポケットに取付けた際に、クリップ固定レバー（４）が外れない様にロックする構造に成っている。
【００１５】
次に、この発明の使用方法について説明すると、図３に示す様に胸ポケット（Ｐ）に装着する時は、予め携帯電話（ＣＴ）に付属されているストラップ（ＣＴ’）をストラップ固定用穴（１ｄ）に通した後、安定板（１）をポケット（Ｐ）の内側に挿入し、二箇所の止め具（３）を使用してしっかり固着する。そして、安定板（１）上部の落下防止蓋（２）を手で押えて下方に倒し、携帯電話をポケットに挿入する。
【００１６】
又、携帯電話をポケットから出す時も入れる時と同様に、落下防止蓋（２）を手で押え下方に倒して携帯電話をポケットから取り出す。
【００１７】
又、図３は落下防止具を胸ポケット（Ｐ）装着時の断面図を示す。
【産業上の利用可能性】
【００１８】
この発明は、携帯電話を胸ポケットに入れて使用する際、容易に出し入れ可能で、且つ、携帯電話用ストラップが係止可能で、胸ポケットからの飛び出し又は落下を防止可能にする事で多くの人々に寄与する点で、産業上の利用可能性を有する。
【図面の簡単な説明】
【００１９】
【図１】この発明の一実施例を示し、（Ａ）は平面図で、（Ｂ）は正面図である。
【図２】この発明の一実施例を示し、（Ａ）は右側面図で、（Ｂ）は取付け具及び落下防止用蓋の作動範囲を示す右側面図である。
【図３】この発明の使用例を示し、胸ポケット装着時の断面図である。
【符号の説明】
【００２０】
１  安定板
１ａ  回動角度規制用ストッパー
１ｂ  ブラケット
１ｃ  突起部
１ｄ  ストラップ取付け用穴
２  落下防止用蓋
２ａ  回動角度規制用ストッパー
３  取付け具
４  クリップ固定レバー
４ａ  クリップ固定レバー軸部
５  クリップ
５ａ  クリップ突起部
６  板バネ
７  軸
８  左側捻りコイルバネ
９  右側捻りコイルバネ
ＣＴ  携帯電話
ＣＴ’  ストラップ
Ｌ  長さ
Ｐ  ポケット
Ｔ  板厚
Ｗ  横幅
α  所定角度
【図１】
2006122547.tif 000003
【図２】
2006122547.tif 000004
【図３】
2006122547.tif 000005